(57)【要約】      （修正有）【解決手段】マルチレンズカメラモジュールは、少なくとも２つのレンズアセンブリ２０、少なくとも２つの感光性アセンブリ３０および一体型マルチレンズカメラモジュール結合スタンド１０を含む。マルチレンズカメラモジュール結合スタンドは、上面および下面を有する。各レンズアセンブリは、マルチレンズカメラモジュール結合スタンドの上面に連結される。各感光性アセンブリは、マルチレンズカメラモジュール結合スタンドの下面に連結される。レンズアセンブリの各々は、それぞれの感光性アセンブリの光受容経路に沿った位置にある。【効果】分離したスタンドが連結された場合のスタンド間での位置ずれおよび角度ずれを含む、従来技術における技術的欠点が回避される。その結果、マルチレンズカメラモジュールの撮像品質が改善される。【選択図】図３
2022002396.tif 000002
【特許請求の範囲】
【請求項１】
少なくとも２つのレンズアセンブリと、
少なくとも２つの感光性センサを備える感光性アセンブリと、
一体型マルチレンズカメラモジュール結合スタンドとを備え、
前記マルチレンズカメラモジュール結合スタンドは少なくとも１つの連結体および少なくとも２つのスタンド本体を備え、前記スタンド本体の各々は、少なくとも１つの前記連結体から伸長し、前記スタンド本体の各々は、前記レンズアセンブリの１つおよび前記感光性アセンブリを支持し、前記レンズアセンブリはそれぞれ前記感光性アセンブリの光受容経路に沿った位置にあり、前記連結体には電子部品収容空洞を設ける、
マルチレンズカメラモジュール。
【請求項２】
前記マルチレンズカメラモジュール結合スタンドは、上面および下面を備え、前記レンズアセンブリは前記マルチレンズカメラモジュール結合スタンドの前記上面と連結され、前記感光性アセンブリは前記マルチレンズカメラモジュール結合スタンドの前記下面と連結される、請求項１に記載のマルチレンズカメラモジュール。
【請求項３】
前記マルチレンズカメラモジュール結合スタンドは、１つの連結体および少なくとも２つのスタンド本体を備え、前記スタンド本体は、前記連結体から対称かつ一体に伸長し、 前記スタンド本体の各々は、前記レンズアセンブリの１つおよび前記感光性アセンブリを 支持する、請求項２に記載のマルチレンズカメラモジュール。
【請求項４】
前記スタンド本体の各々は、光チャネルと、第１のパッケージ溝および第２のパッケージ溝を有し、前記第１および第２のパッケージ溝は連通して前記光チャネルを形成し、前記レンズアセンブリはそれぞれ前記第１のパッケージ溝に対応する位置にあり、前記マルチレンズカメラモジュール結合スタンドの前記上面と連結され、前記感光性センサはそれぞれ前記第２のパッケージ溝に対応する位置にあり、前記マルチレンズカメラモジュール結合スタンドの前記下面と連結される、請求項３に記載のマルチレンズカメラモジュール 。
【請求項５】
前記マルチレンズカメラモジュール結合スタンドは、少なくとも２つの光チャネル、少なくとも２つの第１のパッケージ溝、および少なくとも２つの第２のパッケージ溝を有し、前記第１のパッケージ溝および前記第２のパッケージ溝は連通して前記光チャネルを形成し、前記レンズアセンブリはそれぞれ前記第１のパッケージ溝に対応する位置にあり、 前記マルチレンズカメラモジュール結合スタンドの前記上面と連結され、前記感光性セン サはそれぞれ前記第２のパッケージ溝に対応する位置にあり、前記マルチレンズカメラモ ジュール結合スタンドの前記下面と連結される、少なくとも請求項２に記載のマルチレン ズカメラモジュール。 
【請求項６】
各スタンド本体は連結部、載置部、および取付け部を備え、前記連結部は前記載置部と前記取付け部の間を接続し、前記取付け部は前記スタンド本体から内側に伸長し、前記連結部は前記取付け部から内側に伸長し、前記マルチレンズカメラモジュールの厚さ方向に沿って前記連結部の２つの側部分にそれぞれ前記第１のパッケージ溝および前記第２のパッケージ溝を形成するために、前記連結部の厚さ寸法は前記取付け部の厚さ寸法よりも小さい、請求項４に記載のマルチレンズカメラモジュール。
【請求項７】
前記載置部は前記連結部から内側に伸長し、前記載置部は前記光チャネルを画定し、前 記マルチレンズカメラモジュールの前記厚さ方向に沿って前記連結部の側部に段を形成するために、前記載置部の厚さ寸法は前記連結部の厚さ寸法よりも小さい、請求項６に記載 のマルチレンズカメラモジュール。
【請求項８】
前記載置部によって形成された前記段にそれぞれ配置される少なくとも２つのフィルタリング素子を更に備える、請求項７に記載のマルチレンズカメラモジュール。
【請求項９】
前記段および前記第１のパッケージ溝は、前記マルチレンズカメラモジュール結合スタンドの同じ側面に設けられる、請求項７に記載のマルチレンズカメラモジュール。
【請求項１０】
前記段および前記第２のパッケージ溝は、前記マルチレンズカメラモジュール結合スタンドの同じ側面に設けられる、請求項７に記載のマルチレンズカメラモジュール。
【請求項１１】
前記電子部品収容空洞は前記第１のパッケージ溝、前記第２のパッケージ溝、および前記光チャネルへ通じておらず、前記感光性アセンブリは前記感光性センサおよび回路基板を備え、前記感光性センサの各々は前記回路基板と電気的に接続され、前記回路基板は少なくとも電子部品を備え、前記回路基板は前記マルチレンズカメラモジュール結合スタンドの前記下面に取り付けられるために適合可能であり、前記感光性センサはそれぞれ前記第２のパッケージ溝にパッケージおよび密封され、前記電子部品は前記電子部品収容空洞にパッケージおよび密封される、請求項７に記載のマルチレンズカメラモジュール。
【請求項１２】
前記電子部品収容空洞および前記第２のパッケージ溝は、前記マルチレンズカメラモジュール結合スタンドの同じ側面にある、請求項１１に記載のマルチレンズカメラモジュー ル。 
【請求項１３】
前記回路基板は、ＰＣＢ型回路基板およびＦＰＣ型回路基板から成る群から選択される、請求項１１に記載のマルチレンズカメラモジュール。
【請求項１４】
前記スタンド本体の中心軸の配列は、前記マルチレンズカメラモジュール結合スタンドの周縁に平行である、請求項７に記載のマルチレンズカメラモジュール。
【請求項１５】
前記スタンド本体の中心軸間の距離の範囲は５ｍｍ〜２００ｍｍである、請求項７に記載のマルチレンズカメラモジュール。
【請求項１６】
前記スタンド本体の前記中心軸間の距離の範囲は９ｍｍである、請求項１５に記載のマルチレンズカメラモジュール。
【請求項１７】
前記マルチレンズカメラモジュール結合スタンドの材料は、熱可塑性樹脂、エンジニアリングプラスティック、金属、および合金から成る群から選択される、請求項７に記載の マルチレンズカメラモジュール。
【請求項１８】
前記マルチレンズカメラモジュール結合スタンドの材料は、アルミニウム合金および亜 鉛合金から成る群から選択される、請求項７に記載のマルチレンズカメラモジュール。
【請求項１９】
前記マルチレンズカメラモジュール結合スタンドの材料は、金属粉ならびに金属粉および非金属粉の混合物から成る群から選択される、請求項７に記載のマルチレンズカメラモジュール。
【請求項２０】
少なくとも２つのレンズアセンブリおよび少なくとも２つの感光性センサを備える感光性アセンブリと連結するためのマルチレンズカメラモジュール結合スタンドであって、一体として一体形成され、
前記マルチレンズカメラモジュール結合スタンドは少なくとも１つの連結体および少なくとも２つのスタンド本体を備え、前記スタンド本体の各々は、少なくとも１つの前記連結体から伸長し、前記スタンド本体の各々は、前記レンズアセンブリの１つおよび前記感光性アセンブリを支持し、前記連結体には電子部品収容空洞を設ける、
マルチレンズカメラモジュール結合スタンド。
【請求項２１】
前記マルチレンズカメラモジュール結合スタンドは、１つの連結体および少なくとも２ つのスタンド本体を備え、前記スタンド本体は前記連結体から対称かつ一体に伸長し、前 記スタンド本体の各々は、前記レンズアセンブリの１つおよび前記感光性アセンブリを支 持する、請求項２０に記載のマルチレンズカメラモジュール結合スタンド。
【請求項２２】
前記スタンド本体の各々は取付け部、連結部、および載置部を備え、前記取付け部はそれぞれ前記連結体から伸長し、前記連結部は前記取付け部および前記載置部とそれぞれ連結され、前記載置部の各々は内部に光チャネルを備える、請求項２０に記載のマルチレン ズカメラモジュール結合スタンド。
【請求項２３】
前記マルチレンズカメラモジュール結合スタンドの厚さ方向に沿って前記連結部の各々の側部に段を形成するために、前記載置部の各々の厚さ寸法は前記連結部の各々の厚さ寸法よりも小さい、請求項２２に記載のマルチレンズカメラモジュール結合スタンド。
【請求項２４】
前記マルチレンズカメラモジュール結合スタンドの厚さ方向に沿って前記連結部の各々の２つの側部分にそれぞれ第１のパッケージ溝および第２のパッケージ溝を形成ために、前記連結部の各々の厚さ寸法は前記取付け部の各々の厚さ寸法よりも小さく、前記第１のパッケージ溝および前記第２のパッケージ溝はそれぞれ前記光チャネルと連通する、請求項２２に記載のマルチレンズカメラモジュール結合スタンド。
【請求項２５】
前記スタンド本体の中心軸間の距離の範囲は５ｍｍ〜２００ｍｍである、請求項２４に記載のマルチレンズカメラモジュール結合スタンド。
【請求項２６】
前記マルチレンズカメラモジュール結合スタンドの材料は、熱可塑性樹脂、エンジニアリングプラスティック、金属、および合金から成る群から選択される、請求項２４に記載のマルチレンズカメラモジュール結合スタンド。 
【請求項２７】
前記スタンド本体の中心軸の配列は、前記マルチレンズカメラモジュール結合スタンドの周縁に平行である、請求項２４に記載のマルチレンズカメラモジュール結合スタンド。
【請求項２８】
マルチレンズカメラモジュールの少なくとも２つのレンズアセンブリおよび少なくとも２つの感光性センサを備える感光性アセンブリのずれを防止するための方法であって、
（ａ）マルチレンズカメラモジュール結合スタンドを一体形成するステップと、
（ｂ）前記少なくとも２つのレンズアセンブリを前記マルチレンズカメラモジュール結合スタンドの上面と連結し、前記感光性アセンブリを前記マルチレンズカメラモジュール結合スタンドの下面と連結するステップであって、前記レンズアセンブリはそれぞれ前記感光性アセンブリの光受容経路に沿った位置にある、ステップとを備え、
前記マルチレンズカメラモジュール結合スタンドは少なくとも１つの連結体および少なくとも２つのスタンド本体を備え、前記スタンド本体の各々は、少なくとも１つの前記連結体から伸長し、前記スタンド本体の各々は、前記レンズアセンブリの１つおよび前記感光性アセンブリを支持し、前記連結体に電子部品収容空洞を設けるステップを更に備える、方法。
【請求項２９】
前記マルチレンズカメラモジュール結合スタンドは、１つの連結体および少なくとも２つのスタンド本体を備え、前記スタンド本体の各々は前記連結体から伸長し、前記スタンド本体の各々は、前記レンズアセンブリおよび前記感光性アセンブリをそれぞれ支持する、請求項２８に記載の方法。
【発明の詳細な説明】
【技術分野】
【０００１】
本特許文献の開示の一部は、著作権保護に関する資料を含む。著作権所有者は、米国特許商標局の特許ファイルまたは記録に出されている場合、この特許開示のいずれかによる任意の転載に対して異議を持たないが、そうでない場合はいかなる場合も全ての著作権を保有するものである。
【０００２】
本発明は、マルチレンズ光学撮像デバイスに関し、特に、マルチレンズカメラモジュールおよびマルチレンズカメラモジュール結合スタンド、およびその利用に関する。
【背景技術】
【０００３】
昨今、電子製品は大抵、より多くの機能を一体化する傾向にある。このトレンドによって、多機能製品の創出が促される。たとえば携帯電話は、元来の通信デバイスから、たとえば通信、写真撮影、インターネット、ナビゲーションなど多様かつ多面的な機能を備えた高集積モバイル電子デバイスに進化を遂げた。
【０００４】
近年、たとえばＷｅＣｈａｔ、Ｗｈａｔｓａｐｐなど、モバイル電子デバイスのソーシャルネットワーキングアプリの発明および普及に伴い、人々の間の新たな通信パターンが出現した。たとえばＷｅＣｈａｔは、モバイル電子デバイスに設けられたカメラモジュールによって撮影された写真、ビデオなどの画像をユーザが公開することができる友人グループ機能を提供し、ユーザの友人は投稿されたコンテンツにコメントなどをすることができる。この種の行動は、人々の間の通信パターンを大幅に変化させ、人々の間の情報の伝送および交換を増加させた。しかしながら、モバイル電子デバイスに設けられたカメラモジュールは現在、多くの場合は単レンズカメラモジュールであり、これらはもはや、モバイル電子デバイスによる撮影画像の画像品質および効果におけるユーザ需要を満たすことができない。
【０００５】
一方、たとえばデュアルレンズカメラモジュールなど２つ以上のレンズを有するカメラモジュールが創出され、ますます普及している。デュアルレンズカメラモジュールは、人間の目の構造を模倣する撮影手段を提供する。またこれは、たとえば３Ｄ写真撮影およびスキャニング、ハンドサインおよびモーション認識、色の自然度、高速フォーカス、大規模パノラマ撮像、ボケ撮像などの様々なアプローチにおいて優れた性能を有する。したがって、２つ以上のレンズを有するカメラモジュールは、カメラモジュール産業の発展の重要なトレンドである。画像撮影プロセス中、デュアルレンズカメラモジュールは、２つの位置から画像をそれぞれ取得するために空間的に異なる２つの画像モジュールを用い、画像合成法によってこれら２つの画像モジュールによる撮影画像を合成することによって、マルチレンズカメラモジュールの最終画像を取得する。マルチレンズカメラモジュールの各画像モジュールにおける、解像度、シェーディング、色などを含む画像効果の一貫性、および水平、垂直、および長手方向におけるずれは、デュアルレンズカメラモジュールの撮像品質を測定するための重要な指標であることが理解できる。
【０００６】
不都合なことに、デュアルレンズカメラモジュールの製造および組立て技術と最終構造との両者は、現在、デュアルレンズカメラモジュールの撮像品質を確実にすることからほど遠い。図１は、回路基板１０Ｐ、２つのスタンド２０Ｐ、および２つの撮像モジュール３０Ｐを含む従来のデュアルレンズカメラモジュールを示す。各撮像モジュール３０Ｐは、モータレンズアセンブリ３１Ｐを含む。各スタンド２０Ｐは、回路基板１０Ｐの同じ側面に個々に設けられる。スタンド２０Ｐは、回路基板１０Ｐによって連結される。各レンズアセンブリ３１Ｐはそれぞれ、各自のスタンド２０Ｐ上に配置され、それによって支持される。従来のデュアルレンズカメラモジュールの組立て技術に基づいて、各スタンド２０Ｐは回路基板１０Ｐに個々に取り付けられ、それによってスタンド２０Ｐ間で寸法、位置などを制御することの困難が生じることが理解できる。その結果、スタンド２０Ｐ間での、寸法、位置などのパラメータの一貫性は比較的乏しい。
【０００７】
従来のデュアルレンズカメラモジュールの構造に基づいて、全てのスタンド２０Ｐは独立しており、スタンド２０Ｐは回路基板１０Ｐのみによって連結される。回路基板１０Ｐは通常、ＰＣＢ回路基板であるように選択されるので、柔らかく変形が容易である。その結果、デュアルレンズカメラモジュール全体の剛性が保証されることは難しい。従来のデュアルレンズカメラモジュールが製造され使用される場合、そのような従来型構造は、たとえばレンズアセンブリ３１Ｐなど撮像モジュール３０Ｐの全ての素子間での不安定かつ一貫性のない寸法および大きな位置公差をもたらし得る。また、撮像モジュール３０Ｐの光軸は、指定の位置から逸れやすい。上記のいずれかが生じると、たとえば従来のデュアルレンズカメラモジュールの写真合成などの最終撮像結果といった撮像品質に制御不可能な要因または比較的大きな悪影響が生じる。回路基板１０Ｐの側面に補強要素を取り付ける方法によってスタンド２０Ｐが設置された場合、デュアルレンズカメラモジュールの厚さが増加し、これは理想的な解決策ではない。
【０００８】
また、デュアルレンズカメラモジュールの使用中、撮像モジュール３０Ｐは大量の熱を生じる。熱の蓄積は、回路基板１０Ｐを加熱し、変形させ得る。回路基板１０Ｐが変形すると、回路基板１０Ｐに個々に取り付けられたスタンド２０Ｐの組立て位置が相対的に変化させられる。その結果、スタンド２０Ｐに支持された撮像モジュール３０Ｐの位置も同時に変化し、従来のデュアルレンズカメラモジュールに予想不可能な結果をもたらす。
【発明の概要】
【発明が解決しようとする課題】
【０００９】
本発明の目的は、マルチレンズカメラモジュールおよびマルチレンズモジュール結合スタンド、およびその利用を提供することであり、マルチレンズカメラモジュールは、一体型マルチレンズカメラモジュール結合スタンド、少なくとも２つのレンズアセンブリ、および少なくとも２つの感光性アセンブリを備え、マルチレンズカメラモジュール結合スタンドは、レンズアセンブリおよび感光性アセンブリを支持し、一体型マルチレンズカメラモジュール結合スタンドは、レンズアセンブリの光受容経路間で相対的にチルトを回避することによってマルチレンズカメラモジュールの一貫性を確保することができる。
【００１０】
本発明の他の目的は、マルチレンズカメラモジュールおよびマルチレンズカメラモジュール結合スタンド、およびその利用を提供することであり、一体型マルチレンズカメラモジュール結合スタンドは、独立したスタンドを互いに連結する必要がないため、マルチレンズカメラモジュール結合スタンドは、隣接するレンズアセンブリ間で位置ずれが生じることを回避することができ、マルチレンズカメラモジュールの撮像品質の向上に役立ち得る。
【００１１】
本発明の他の目的は、マルチレンズカメラモジュール結合スタンド、マルチレンズカメラモジュール、およびその利用を提供することであり、一体型マルチレンズカメラモジュール結合スタンドは、たとえば回路基板など他の要素によって連結される必要がないため、マルチレンズカメラモジュール結合スタンドがマルチレンズカメラモジュールを組み立てるために利用される場合、およびマルチレンズカメラモジュールの輸送および使用中、それに応じてマルチレンズカメラモジュール結合スタンドが変形されることがなく、マルチレンズカメラモジュールの撮像品質が保証される。
【００１２】
本発明の他の目的は、マルチレンズカメラモジュールおよびマルチレンズカメラモジュール結合スタンド、およびその利用を提供することであり、感光性アセンブリは、独立したスタンドを連結するために利用される必要がない回路基板を設けるので、回路基板は、感光性センサに統合される、またはより薄いサイズで作られることができる。たとえば、回路基板はＦＰＣ回路基板であってよい。その結果、マルチレンズカメラモジュールの厚さを低減することができ、より小型のモバイル電子機器においてマルチレンズカメラモジュールを利用することが可能である。
【００１３】
本発明の他の目的は、マルチレンズカメラモジュール結合スタンド、マルチレンズカメラモジュール、およびその利用を提供することであり、一体型マルチレンズカメラモジュール結合スタンドは、マルチレンズカメラモジュールの組立てプロセス中に２つ以上の独立したスタンドを互いに連結する必要がないので、マルチレンズカメラモジュールの組立てステップを簡略化し、マルチレンズカメラモジュールの組立て効率を向上させる。
【００１４】
本発明の他の目的は、マルチレンズカメラモジュール結合スタンド、マルチレンズカメラモジュール、およびその利用を提供することであり、マルチレンズカメラモジュール結合スタンドは、連結体および２つのスタンド本体を備え、スタンド本体はそれぞれ連結体の２つの側部から一体に伸長し、スタンド本体の各々は、レンズアセンブリの１つおよび感光性アセンブリの１つと連結されるために適合され、隣接するレンズアセンブリの光受容経路間でチルトが生じることを防ぐために、マルチレンズカメラモジュール結合スタンドは、スタンド本体の中心軸線が互いに平行であることを確実にすることができる。
【００１５】
本発明の他の目的は、マルチレンズカメラモジュール結合スタンド、マルチレンズカメラモジュール、およびその利用を提供することであり、マルチレンズカメラモジュール結合スタンドは、感光性センサの感光性側面が、電子部品の表面から落下した溶接スラグ、塵などによって汚染されることを回避するために、感光性アセンブリの感光性センサが、マルチレンズカメラモジュールの組立てプロセス中に他の電子部品と同じパッケージ空間に入ることを防ぎ、感光性センサの感光性側面に欠陥画素が生じることを回避するために役立つ。
【課題を解決するための手段】
【００１６】
上記および他の目的を実現するために、本発明は、
少なくとも２つのレンズアセンブリと、
少なくとも２つの感光性アセンブリと、
上面および下面を有する一体型マルチレンズカメラモジュール結合スタンドと
を備え、レンズアセンブリの各々はマルチレンズカメラモジュール結合スタンドの上面と連結され、感光性アセンブリの各々はそれぞれマルチレンズカメラモジュール結合スタンドの下面と連結され、カメラアセンブリはそれぞれ感光性アセンブリの光受容経路に沿った位置にある、マルチレンズカメラモジュールを提供する。
【００１７】
本発明の好適な実施形態によると、マルチレンズカメラモジュール結合スタンドは、少なくとも１つの連結体および少なくとも２つのスタンド本体を備え、スタンド本体の各々は、少なくとも１つの連結体の１つから伸長し、スタンド本体は、レンズアセンブリおよび感光性アセンブリをそれぞれ支持する。
【００１８】
本発明の好適な実施形態によると、マルチレンズカメラモジュール結合スタンドは、１つの連結体および２つのスタンド本体を備え、スタンド本体は、連結体から対称かつ一体に伸長する。
【００１９】
本発明の好適な実施形態によると、スタンド本体の少なくとも１つは、光チャネルと、光チャネルとそれぞれ連通した第１のパッケージ溝および第２のパッケージ溝とを有し、レンズアセンブリは第１のパッケージ溝に対応し、マルチレンズカメラモジュール結合スタンドの上面と連結され、感光性アセンブリは第２のパッケージ溝に対応し、マルチレンズカメラモジュール結合スタンドの下面と連結される。
【００２０】
本発明の好適な実施形態によると、マルチレンズカメラモジュール結合スタンドは、少なくとも２つの光チャネル、少なくとも２つの第１のパッケージ溝、および少なくとも２つの第２のパッケージ溝を有し、第１のパッケージ溝の各々および第２のパッケージ溝の各々は少なくとも２つの光チャネルの１つとそれぞれ連通し、レンズアセンブリは第１のパッケージ溝に対応し、マルチレンズカメラモジュール結合スタンドの上面と連結され、感光性アセンブリは第２のパッケージ溝に対応し、マルチレンズカメラモジュール結合スタンドの下面と連結される。
【００２１】
本発明の好適な実施形態によると、連結体の少なくとも１つは連結部および取付け部を備え、取付け部はスタンド本体から伸長し、連結部は取付け部の内側から伸長し、マルチレンズカメラモジュールの厚さ方向に沿って連結部の２つの側部分にそれぞれ第１のパッケージ溝および第２のパッケージ溝を形成するために、連結部の厚さ寸法は取付け部の厚さ寸法よりも小さい。
【００２２】
本発明の好適な実施形態によると、スタンド本体の少なくとも１つは、連結部の内側から伸長する載置部を備え、載置部は光チャネルを画定し、マルチレンズカメラモジュールの厚さ方向に沿って連結部の側部に段を形成するために、載置部の厚さ寸法は連結部の厚さ寸法よりも小さい。
【００２３】
本発明の好適な実施形態によると、マルチレンズカメラモジュールは、それぞれ載置部によって形成された段に配置された少なくとも２つのフィルタリング素子を更に備える。
【００２４】
本発明の好適な実施形態によると、段および第１のパッケージ溝は、マルチレンズカメラモジュール結合スタンドの同じ側面にある。
【００２５】
本発明の好適な実施形態によると、段および第２のパッケージ溝は、マルチレンズカメラモジュール結合スタンドの同じ側面にある。
【００２６】
本発明の好適な実施形態によると、少なくとも１つの連結体には電子部品収容空洞が設けられ、電子部品収容空洞は第１のパッケージ溝、第２のパッケージ溝、および光チャネルへ通じておらず、感光性アセンブリの各々は、回路基板および回路基板と電気的に接続されたセンサを備え、回路基板は電子部品を備え、マルチレンズカメラモジュール結合スタンドの下面に取り付けられるために適合可能であり、感光性センサは第２のパッケージ溝にパッケージおよび密封され、電子部品は電子部品収容空洞にパッケージおよび密封される。
【００２７】
本発明の好適な実施形態によると、電子部品収容空洞および第２のパッケージ溝は、マルチレンズカメラモジュール結合スタンドの同じ側面にある。
【００２８】
本発明の好適な実施形態によると、回路基板は、ＰＣＢ回路基板またはＦＰＣ回路基板である。
【００２９】
本発明の好適な実施形態によると、スタンド本体の中心軸の配列は、マルチレンズカメラモジュール結合スタンドの周縁に平行または垂直である。
【００３０】
本発明の好適な実施形態によると、スタンド本体の中心軸間の距離の範囲は５ｍｍ〜２００ｍｍである。
【００３１】
本発明の好適な実施形態によると、スタンド本体の中心軸間の距離の範囲は９ｍｍである。
【００３２】
本発明の好適な実施形態によると、マルチレンズカメラモジュール結合スタンドの材料は、熱可塑性樹脂、エンジニアリングプラスティック、金属、および合金から成るグループから選択される。
【００３３】
本発明の好適な実施形態によると、マルチレンズカメラモジュール結合スタンドの材料は、アルミニウム合金または亜鉛合金である。
【００３４】
本発明の好適な実施形態によると、マルチレンズカメラモジュール結合スタンドの材料は、金属粉または金属粉と非金属粉との混合物である。
【００３５】
本発明の好適な実施形態によると、本発明は、少なくとも２つのレンズアセンブリおよび少なくとも２つの感光性アセンブリと連結するためのマルチレンズカメラモジュール結合スタンドも提供し、マルチレンズカメラモジュール結合スタンドは一体形成される。
【００３６】
本発明の好適な実施形態によると、スタンド本体の各々は取付け部、連結部、および載置部を備え、取付け部は連結体から伸長し、連結部は取付け部および載置部と連結され、載置部は内部に設けられた光チャネルを備える。
【００３７】
本発明の好適な実施形態によると、
マルチレンズカメラモジュール結合スタンドの厚さ方向に沿って連結部の側部に段を形成するために、載置部の厚さ寸法は連結部の厚さ寸法よりも小さく、。
【００３８】
本発明の好適な実施形態によると、マルチレンズカメラモジュール結合スタンドの厚さ方向に沿って連結部の２つの側部にそれぞれ第１のパッケージ溝および第２のパッケージ溝を形成するために、連結部の厚さ寸法は取付け部の厚さ寸法よりも小さく、第１のパッケージ溝および第２のパッケージ溝はそれぞれ光チャネルと連通する。
【００３９】
本発明の好適な実施形態によると、本発明は、マルチレンズカメラモジュールの２つ以上のレンズアセンブリおよび２つ以上の感光性アセンブリのずれを防止するための方法も提供し、方法は、以下のステップを備える。
【００４０】
（ａ）マルチレンズカメラモジュール結合スタンドを一体形成すること、および
【００４１】
（ｂ）レンズアセンブリの各々および感光性アセンブリの各々をマルチレンズカメラモジュール結合スタンドの上面および下面とそれぞれ連結することであって、各レンズアセンブリはそれぞれ各感光性アセンブリの光受容経路に沿った位置にあること。
【００４２】
本発明の好適な実施形態によると、マルチレンズカメラモジュール結合スタンドは、少なくとも１つの連結体および少なくとも２つのスタンド本体を備え、スタンド本体の各々は連結体の少なくとも１つから伸長し、スタンド本体はそれぞれレンズアセンブリおよび感光性アセンブリを支持する。本発明の好適な実施形態によると、マルチレンズカメラモジュール結合スタンドは、１つの連結体および２つのスタンド本体を備え、スタンド本体は連結体から対称かつ一体に伸長する。
【００４３】
次の説明および図面を考慮することによって、更なる目的および利点が明らかになる。
【００４４】
本発明の上記および他の目的、特徴、および利点は、以下の詳細な説明、添付図面、および特許請求の範囲から明らかになる。
【図面の簡単な説明】
【００４５】
【図１】従来のデュアルレンズカメラモジュールの断面図である。
【図２】本発明の好適な実施形態に係るマルチレンズカメラモジュールの斜視図である。
【図３】本発明の上記好適な実施形態に係るマルチレンズカメラモジュールの分解図である。
【図４】本発明の上記好適な実施形態に係るマルチレンズカメラモジュールの断面図である。
【図５Ａ】本発明の上記好適な実施形態に係るマルチレンズカメラモジュール結合スタンドのある視角における斜視図である。
【図５Ｂ】本発明の上記好適な実施形態に係るマルチレンズカメラモジュール結合スタンドの別の視角における斜視図である。
【図６】応力下における従来のデュアルレンズカメラモジュールおよび本発明に係るマルチレンズカメラモジュールの剛性強度シミュレーションの比較図である。
【図７】本発明の好適な実施形態に係るマルチレンズカメラモジュールの別のモードの斜視図である。
【図８】本発明の好適な実施形態に係るマルチレンズカメラモジュールの別のモードの断面図である。
【図９】本発明の好適な実施形態に係るマルチレンズカメラモジュールのマルチレンズカメラモジュール結合スタンドの別のモードの斜視図である。
【図１０】本発明の好適な実施形態に係る、マルチレンズカメラモジュールの撮像モジュールがずれることを防止するための方法を示すフローチャートである。
【発明を実施するための形態】
【００４６】
本発明の以下の説明は、当業者が本発明を製造および利用することができるように、図面および１または複数の実施形態を用いて開示される。以下の説明における好適な実施形態は、単に例を示すためのものにすぎない。当業者は、他の明らかな変更例を想起することができる。以下の説明において定義される基本的観念は、本発明の範囲または主旨から逸脱しない他の実装、代替例、変更例、均等物、および利用に適用され得る。
【００４７】
図２〜図５Ｂを参照すると、本発明の好適な実施形態に係るマルチレンズカメラモジュールが示され、マルチレンズカメラモジュールは、ユーザがマルチレンズカメラモジュールを通して物体または人物の画像を撮影することを支援するために様々な電子デバイスにおいて利用され得る。たとえばマルチレンズカメラモジュールは、たとえば物体、人物などの写真またはビデオといった画像情報を撮影するために利用され得る。好適には、マルチレンズカメラモジュールは、限定ではないがたとえばモバイルフォンまたはタブレットであってよいモバイル電子デバイスにおいて利用され得る。
【００４８】
図２および図３を参照すると、本発明のマルチレンズカメラモジュールは、本発明の内容および利点を説明するための例を示すために以下の説明においてデュアルレンズカメラモジュールとして具体化される。特に、デュアルレンズカメラモジュールは、マルチレンズカメラモジュール結合スタンド１０、少なくとも２つのレンズアセンブリ２０、および少なくとも２つの感光性アセンブリ３０を備えてよい。レンズアセンブリ２０および感光性アセンブリ３０は、それぞれマルチレンズカメラモジュール結合スタンド１０の異なる側面に連結される。レンズアセンブリ２０の各々は、１対１方式に構成されるように感光性アセンブリ３０のうち１つの光受容経路に対応して配置される。また、感光性アセンブリ３０は、電子デバイスと接続され得る。当業者が理解すべきであるように、感光性アセンブリ３０の１つと対になったレンズアセンブリ２０の１つは、画像の捕捉に関して調和してよい。具体的には、物体または人物から反射しレンズアセンブリ２０を通過した光は、光電変換のために感光性アセンブリ３０によってそれぞれ受光される。すなわち、感光性アセンブリ３０は、光信号を電気信号に変換することができ、電気信号は、電子デバイスが物体または人物の関連画像を生成するために、感光性アセンブリ３０を通して電子デバイスへ送信され得る。
【００４９】
マルチレンズカメラモジュール結合スタンド１０は、上面１０１および下面１０２を有する。マルチレンズカメラモジュール結合スタンド１０の上面１０１および下面１０２は、互いに対向する。各レンズアセンブリ２０は、マルチレンズカメラモジュール結合スタンド１０の上面１０１と連結される。各感光性アセンブリ３０は、マルチレンズカメラモジュール結合スタンド１０の下面１０２と連結される。言及すべき点として、図４を参照すると、デュアルレンズカメラモジュールの、撮影されている物体または人物に近い方の側面が、マルチレンズカメラモジュール結合スタンド１０の上面１０１として定められる。反対に、デュアルレンズカメラモジュールの、撮影されている物体または人物から遠い方の側面は、マルチレンズカメラモジュール結合スタンド１０の下面１０２として定められる。したがって、たとえばモバイルフォン、デジタルカメラなどのモバイル電子デバイスにおいてデュアルレンズカメラモジュールが利用され、ユーザの手に保持される場合、マルチレンズカメラモジュール結合スタンド１０の上面１０１および下面１０２は、空間位置の観点から、上下の関係ではなく前後の関係を有してよい。
【００５０】
好適な実施形態によると、マルチレンズカメラモジュール結合スタンド１０は、連結体１１および２つのスタンド本体１２を備え、スタンド本体１２は連結体１１から一体に伸長し、スタンド本体１２の各々は、レンズアセンブリ２０の１つおよび感光性アセンブリ３０の１つを支持するために用いられる。当業者が理解すべきであるように、本発明のデュアルレンズカメラモジュールの場合、マルチレンズカメラモジュール結合スタンド１０の連結体１１およびスタンド本体１２が一体形成されるので、本発明によって提供されるマルチレンズカメラモジュール結合スタンド１０は一体型であり、たとえば２つの分離したスタンドが回路基板などの他の要素によって互いに連結される２つの独立したスタンド間の位置ずれおよび角度ずれといった従来技術における技術的欠点を克服し得る。また、マルチレンズカメラモジュール結合スタンド１０は、デュアルレンズカメラモジュールの一貫性および撮像品質を保証するために、レンズアセンブリ２０と感光性アセンブリ３０との光受容経路間の相対チルトを回避することができる。
【００５１】
本発明の好適な実装によると、レンズアセンブリ２０の各々は、マルチレンズカメラモジュール結合スタンド１０のスタンド本体１２の１つに直接連結された光学レンズ２１を備えてよい。すなわち、この実装によると、レンズアセンブリ２０は固定焦点レンズアセンブリであり、これは、レンズアセンブリ２０の焦点距離を自由に調整することができないことを意味する。当業者が理解すべきであるように、本発明に示される光学レンズ２１はスタンド本体１２と直接連結されてよく、これは、光学レンズ２１をシェルによってスタンド本体１２と連結することを含む。
【００５２】
また、本発明の他の好適な実装によると、レンズアセンブリ２０の各々は、マルチレンズカメラモジュール結合スタンド１０のスタンド本体１２と連結された駆動モータ２２も備えてよい。各光学レンズ２１は駆動モータ２２と駆動可能に連結され、それによって駆動モータ２２は、レンズアセンブリ２０の焦点距離を調整するために、光学レンズ２１を感光性アセンブリ３０の光受容経路に沿って移動するように駆動することができる。すなわち、この実装によると、レンズアセンブリ２０はズームレンズアセンブリであり、これは、レンズアセンブリ２０の焦点距離が調整可能であることを意味する。たとえば、ユーザが画像を撮影するためにデュアルレンズカメラモジュールを利用する場合、ユーザは、レンズアセンブリ２０の焦点距離を調整することによって撮影結果を調整してよい。
【００５３】
また、感光性アセンブリ３０の各々は、感光性センサ３１を備えてよい。感光性センサ３１の感光性側面はレンズアセンブリ２０の光学レンズ２１に面し、光学レンズ２１の光軸は、感光性センサ３１の感光性側面に垂直であるので、光は、光学レンズ２１を通過した後、その後の光電変換のために感光性センサ３１の感光性側面に受光され得る。本発明の好適な実装によると、各感光性アセンブリ３０の回路は感光性センサ３１に配置されてよく、各感光性アセンブリ３０は、回路を通して電子デバイスと接続される。
【００５４】
本発明の他の好適な実装によると、感光性アセンブリ３０は回路基板３２も備えてよく、各感光性センサ３１は回路基板３２と電気的に接続され得る。回路基板３２は電子デバイスと接続され、それによって回路基板３２は、光電変換を介して感光性センサ３１によって生成された電気信号を電子デバイスへ送信するために利用され得る。たとえば、感光性センサ３１は、回路基板３２の様々な位置に取り付けられることによって回路基板３２に電気的に接続され得る。
【００５５】
また、デュアルレンズカメラモジュールを密封およびパッケージする際、回路基板３２は、マルチレンズカメラモジュール結合スタンド１０に連結され、感光性センサ３１はそれぞれスタンド本体１２に対応付けられる。典型的な例として、感光性センサ３１は回路基板３２に取り付けられた後、少なくともワイヤボンドによって回路基板３２と電気的に接続され得る。特に、デュアルレンズカメラモジュールは、少なくともワイヤボンドを設ける。ワイヤボンドの両端は、感光性センサ３１と回路基板３２との間の電気的接続を実現するために、それぞれ感光性センサ３１および回路基板３２の外辺と連結するように伸長される。しかしながら、当業者が理解すべきであるように、ワイヤボンドは、感光性センサ３１と回路基板３２とを電気的に接続するために利用可能な唯一の実装ではない。たとえば、本発明の他の利用可能な実装によると、感光性センサ３１および回路基板３２は溶接され、ハンダボールをハンダ付けしてもよい。言及すべき点として、本発明のデュアルレンズカメラモジュールによると、センサ３１と回路基板３２との接続モードは、本発明の内容および範囲を限定するものではない。
【００５６】
言及すべき点として、デュアルレンズカメラモジュールのレンズアセンブリ２０はいずれもズームレンズアセンブリであってよい。すなわち、レンズアセンブリ２０および感光性アセンブリ３０はいずれもマルチレンズカメラモジュール結合スタンド１０によって連結され、レンズアセンブリ２０の光学レンズ２１と感光性アセンブリ３０のセンサ３１との間の距離が調整され得る。たとえば、光学レンズ２１の各々は、対応する感光性センサ３１の光受容経路に沿って移動させるために、対応する駆動モータ２２によって駆動され得るので、デュアルレンズカメラモジュールの焦点距離は、光学レンズ２１と感光性センサ３１の感光性側面との間のシフトによって調整され得る。本発明の好適な実装によると、レンズアセンブリ２０および感光性アセンブリ３０の相対位置は同期的に調整され得ることが理解可能である。しかしながら、本発明の他の好適な実装によると、レンズアセンブリ２０および感光性アセンブリ３０の相対位置は、それぞれ独立して調整され得る。
【００５７】
マルチレンズカメラモジュール結合スタンド１０のスタンド本体１２は、それぞれ結合体１１の２つの側部分から一体に伸長する。各スタンド本体１２は、レンズアセンブリ２０の１つおよび感光性アセンブリ３０の１つを連結することによってデュアルレンズカメラモジュールを形成するために用いられる。スタンド本体１２の仕様は限定されなくてよい。たとえば１つの実施形態において、スタンド本体１２のサイズは様々であってよい。本発明の他の好適な実装の場合、寸法を含むスタンド本体１２の仕様は全て同じであり、これは、スタンド本体１２は連結体１１の両側に対称に伸長し得ることを意味する。
【００５８】
また、各スタンド本体１２は、マルチレンズカメラモジュール結合スタンド１０の上面１０１と下面１０２とを連通するための光チャネル１２１を有する。デュアルレンズカメラモジュールの各レンズアセンブリ２０および各感光性アセンブリ３０は、各スタンド本体１２それぞれの光チャネル１２１を介して相互作用してよい。すなわち、デュアルレンズカメラモジュールが画像を撮影する時、光はレンズアセンブリの光学レンズ２１および光チャネル１２１を連続的に通過し、光電変換のために感光性アセンブリ３０の感光性センサ３１の感光性側面に受光され得る。言及すべき点として、光チャネル１２１は、スタンド本体１２の各々の中央位置に配置される。
【００５９】
各スタンド本体１２は更に、統合または一体形成された載置部１２２、連結部１２３、および取付け部１２４を備えてよい。光チャネル１２１は、載置部１２２に配置される。載置部１２２はスタンド本体１２の内側にあり、取付け部１２４はスタンド本体１２の外側にあり、連結部１２３は載置部１２２と取付け部１２４とを連結するためのものであることが理解できる。すなわち、載置部１２２、連結部１２３、および取付け部１２４は、内側から外側に向かってスタンド本体１２に配置される。
【００６０】
載置部１２２の厚さ寸法は、それぞれの感光性センサ３１の光受容経路の方向に沿った連結部１２３の厚さ寸法よりも小さく、それによってスタンド本体１２は、載置部１２２に対応する箇所に段１２２１を形成してよい。デュアルレンズカメラモジュールは、それぞれ載置部１２２によって支持されるように載置部１２２によって形成された段１２２１に配置された、少なくとも２つのフィルタリング素子４０も備える。言及すべき点として、載置部１２２によって形成された段１２２１の位置は限定され得る。たとえば、載置部１２２によって形成された段１２２１は、マルチレンズカメラモジュール結合スタンド１０の上面１０１またはマルチレンズカメラモジュール結合スタンド１０の下面１０２のいずれかに配置され得る。
【００６１】
連結部１２３の厚さ寸法もまた、連結部１２３に対応する位置にスタンド本体１２の第１のパッケージ溝１２５および第２のパッケージ溝１２６をそれぞれ形成するために、感光性センサ３１の光受容経路の方向に沿った取付け部１２４の厚さ寸法よりも小さい。第１のパッケージ溝１２５は、マルチレンズカメラモジュール結合スタンド１０の上面１０１にあり、第２のパッケージ溝１２６は、マルチレンズカメラモジュール結合スタンド１０の下面１０２にある。当業者は、第１のパッケージ溝１２５および第２のパッケージ溝１２６がそれぞれ光チャネル１２１と連通していることを理解すべきである。レンズアセンブリ２０は、スタンド本体１２の第１のパッケージ溝１２５に対応し、マルチレンズカメラモジュール結合スタンド１０上で密封およびパッケージされ得る。感光性アセンブリ３０は、スタンド本体１２の第２のパッケージ溝１２６に対応し、マルチレンズカメラモジュール結合スタンド１０上で密封およびパッケージされ得る。
【００６２】
具体的には、レンズアセンブリ２０の側面は、第１のパッケージ溝１２５に対応するスタンド本体１２上で密封およびパッケージされ得る。たとえば、レンズアセンブリ２０の側面は、レンズアセンブリ２０およびスタンド本体１０の密封およびパッケージを実現するために、側面に配置され第１のパッケージ溝１２５内に伸長するガイドピンを備えてよい。好適な実施形態によると、感光性アセンブリ３０の回路基板３２は、スタンド本体１２の第２のパッケージ溝１２６に回路基板３２の感光性センサ３１を密封およびパッケージし、レンズアセンブリ２０の光学レンズ２１の光軸が感光性アセンブリ３０の感光性センサ３１の感光性側面に垂直になるように配置するように、スタンド本体１２の取付け部１２４に取り付けられ得る。言及すべき点として、本発明の好適な実施形態の別のモードによると、感光性アセンブリ３０のセンサ３１の周囲は、取付け部１２４に直接密封およびパッケージされるように伸長され得る。また、感光性センサ３１は、第２のパッケージ溝１２６内に位置する。
【００６３】
当業者は、マルチレンズカメラモジュール結合スタンド１０が一体型であることを理解すべきである。２つ以上の独立したスタンドが連結されてデュアルレンズカメラモジュールのスタンドを形成する従来技術と対照的に、本発明の一体型マルチレンズカメラモジュール結合スタンド１０は、以下の顕著な利点を提供する。
【００６４】
具体的には、マルチレンズカメラモジュール結合スタンド１０の第１の利点は、マルチレンズカメラモジュール結合スタンド１０が、密封およびパッケージ後にレンズアセンブリ２０と感光性アセンブリ３０との光受容経路間の相対チルトを防止するために、たとえば独立スタンドを連結した場合の独立スタンド間の位置ずれおよび角度ずれなどといった従来のデュアルレンズカメラモジュールの独立スタンドの技術的欠点を克服することである。
【００６５】
マルチレンズカメラモジュール結合スタンド１０の第２の利点は、本発明のデュアルレンズカメラモジュールが激しい揺れや振動を経験した場合、連結体１１から一体に伸長するスタンド本体１２は、たとえばレンズアセンブリ２０と感光性アセンブリ３０との間でのチルト、距離など、レンズアセンブリ２０および感光性アセンブリ３０の相対位置を維持および確保できることである。
【００６６】
マルチレンズカメラモジュール結合スタンド１０の第３の利点は、より薄い厚さである。従来技術の独立スタンドは、回路基板によって連結される。したがって、スタンドの相対位置の安定性を確保するために、特定の厚さおよび剛性を有する回路基板が従来のマルチレンズカメラモジュールには必要である。たとえば、従来のデュアルレンズカメラモジュールは、その厚さを確実に増加させるＰＣＢ型回路基板しか利用することができない。しかし、本発明のデュアルレンズカメラモジュールの回路基板３２は、スタンドを連結する必要がない。その結果、回路基板３２の厚さおよび硬度に対する必須要件は存在しない。たとえば、本発明によると、回路基板３２はＰＣＢ型回路基板またはより薄い厚さのＦＰＣ回路基板であってよい。また、本発明の好適な実施形態の別のモードによると、デュアルレンズカメラモジュールは、感光性センサ３１の光受容経路の方向におけるデュアルレンズカメラモジュールの厚さを大幅に低減するために、回路基板３２を含まず、単に回路を感光性センサ３１に統合するものであってよく、それによってより軽く薄いことが期待される電子デバイス上でデュアルレンズカメラモジュールを利用することを可能にする。
【００６７】
また、当業者が理解すべきであるように、従来の独立スタンドは回路基板を介して連結することしかできないので、回路基板に取り付けられる電子部品を収容するために隣接スタンド間に空間を確保しなければならない。不都合なことに、従来のデュアルレンズカメラモジュールは、使用中、回路基板が加熱され容易に変形され得る。回路基板が変形すると、独立スタンドの傾斜が変化することは避けられず、その結果、従来のデュアルレンズカメラモジュールの撮像品質に影響を及ぼす。
【００６８】
本発明の好適な実施形態によると、マルチレンズカメラモジュール結合スタンド１０の連結体１１は、回路基板３２に取り付けられた１または複数の電子部品３２１を受け入れ収容するために設けられた電子部品収容空洞１１を更に有する。連結体１１の電子部品収容空洞１１１は、スタンド本体１２の光チャネル１２１、第１のパッケージ溝１２５、および第２のパッケージ溝１２６へ通じることはできない。デュアルレンズカメラモジュールの密封およびパッケージプロセス中、マルチレンズカメラモジュール結合スタンド１０に回路基板３２が取り付けられた後、電子部品３２１は、連結体１１の電子部品収容空洞１１１内に単独で密封およびパッケージされるように適合されるので、たとえば溶接スラグ、塵などの汚染物質がスタンド本体１２の第２のパッケージ溝１２６に侵入し、スタンド本体１２の第２のパッケージ溝１２６に密封およびパッケージされた感光性アセンブリ３０の感光性センサ３１の感光性側面を汚染することはなく、デュアルレンズカメラモジュールの撮像品質を更に向上させるために、センサ３１の感光性側面に欠陥画素が発生することが防止される。
【００６９】
また、連結体１１の電子部品収容空洞１１１はスタンド本体１２に隣接した隙間に形成されるので、デュアルレンズカメラモジュールの余分な空間を利用するのみならず、連結体１１の電子部品収容空洞１１１は、連結体１１の位置によってマルチレンズカメラモジュール結合スタンド１０の応力が集中することを防ぐという事実によって容易に変形することがなく、マルチレンズカメラモジュール結合スタンドの使用中の安定性が確保される。
【００７０】
図に示すように、マルチレンズカメラモジュール結合スタンド１０のスタンド本体１２の各々は中心軸を有し、スタンド本体１２の中心軸間の距離は５ｍｍ〜２００ｍｍの範囲であってよい。好適には、好適な実施形態によると、スタンド本体１２の中心軸間の距離は９ｍｍであってよい。また、スタンド本体１２の中心軸間の配列は、マルチレンズカメラモジュール結合スタンド１０の各外辺に平行または垂直であるため、デュアルレンズカメラモジュールがマルチレンズカメラモジュール結合スタンド１０を用いて組み立てられた場合、レンズアセンブリ２０および感光性アセンブリ３０は電子デバイス内に設置され、各レンズアセンブリ２０および各感光性アセンブリ３０の光受容経路がより容易に制御され得る。
【００７１】
本発明のデュアルレンズカメラモジュールと従来のデュアルレンズカメラモジュールとの間には、構造、技術的効果などの観点から重要な相違が存在する。従来のデュアルレンズカメラモジュールは、２つの独立スタンドを回路基板に取り付ける必要があるが、組立てプロセスに基づいて、従来のデュアルレンズカメラモジュールの２つの独立スタンドの中心軸間の距離は制御することが非常に難しく、それによって従来技術に係るデュアルレンズカメラモジュールの一貫性が乏しくなる。構造的観点から、従来のデュアルレンズカメラモジュールの２つの独立スタンドは、回路基板によって取り付けられるしかない。すなわち、従来のデュアルレンズカメラモジュールは、回路基板に２つの独立スタンドを対称に固定するために回路基板に依存する。従来のデュアルレンズカメラモジュールの使用中、回路基板に歪みが生じると、２つの独立スタンド間の位置関係が変化することは避けられず、それによって従来のデュアルレンズカメラモジュールの撮像品質に致命的な影響を及ぼす。更に、従来のデュアルレンズカメラモジュールの回路基板は実用化の際にＰＣＢであり、これは、２つ以上の独立スタンド、２つ以上のレンズアセンブリ、および２つ以上の感光性アセンブリを支持するには不十分である。また、ＰＣＢ型回路基板は、熱によって容易に変形し得る。その上、マルチレンズカメラモジュールにはますます多い数のレンズアセンブリおよび感光性アセンブリが求められるが、従来型スタンドの構造は、３つ以上のスタンド、レンズアセンブリ、および感光性アセンブリを有するマルチレンズカメラモジュールの製造には更に不十分である。
【００７２】
本発明の好適な実装によると、マルチレンズカメラモジュール結合スタンド１０は、マルチレンズカメラモジュール結合スタンド１０の安定性を強化する熱可塑性樹脂材料によって一体に形成され得る。本発明の別のモードの好適な実装によると、マルチレンズカメラモジュール結合スタンド１０は、エンジニアリングプラスティックによって一体に形成されてもよく、この場合、エンジニアリングプラスティック粒子によって形成された材料は、マルチレンズカメラモジュール結合スタンド１０を製造するためにモールド型に注ぎ込まれ得る。具体的には、マルチレンズカメラモジュール結合スタンド１０の材料は、「ｉｓｈｉＮＴＢ９８２」エンジニアリングプラスティック、液晶ポリマ（ＬＣＰ）エンジニアリングプラスティックなどであってよい。また、マルチレンズカメラモジュール結合スタンド１０は、マルチレンズカメラモジュール結合スタンド１０の強度を保証することに加えてマルチレンズカメラモジュール結合スタンド１０の熱放散性を高めるために、金属材料または合金材料で作られてもよい。具体的には、マルチレンズカメラモジュール結合スタンド１０は、射出成形技術または３Ｄ印刷技術を用いて、金属粉または金属粉と非金属粉との混合物によって一体に形成され得る。たとえば、マルチレンズカメラモジュール結合スタンド１０の材料は、アルミニウム合金、亜鉛合金などであってよい。
【００７３】
言及すべき点として、従来のデュアルレンズカメラモジュールと対照的に、本発明のマルチレンズカメラモジュール結合スタンド１０は、デュアルレンズカメラモジュールのための熱放散の新たな概念を提供する。すなわち、本発明は、熱放散を実行するために、感光性アセンブリ３０の感光性センサ３１の外周に配置されたマルチレンズカメラモジュール結合スタンド２０を利用する。第１に、マルチレンズカメラモジュール結合スタンド１０は、デュアルレンズカメラモジュールの熱放散性能を高めることができる、より広い放熱面を有する。第２に、感光性アセンブリ３０の感光性センサ３１によって生成された熱は、全く、またはごく一部しか回路基板３２を通して放散する必要がない。その結果、回路基板３２が高温によって変形されることはなく、熱放散支援として回路基板３２の外側部分に放熱フィンを取り付ける必要はないので、光受容経路の方向におけるデュアルレンズカメラモジュールの厚さを更に低減することができ、それによってデュアルレンズカメラモジュールは、より軽く薄いことが期待される電子デバイスに特に適したものになる。
【００７４】
図６は、応力下における従来のデュアルレンズカメラモジュールおよび本発明に係るデュアルレンズカメラモジュールの剛性強度シミュレーションの比較図である。当業者が理解すべきであるように、ワイヤボンディングに頼る従来のデュアルレンズカメラモジュールの独立スタンドと対照的に、本発明のデュアルレンズカメラモジュールのマルチレンズカメラモジュール結合スタンド１０は一体構造を利用し、著しく剛性を強化する。応力下における従来のデュアルレンズカメラモジュールおよび本発明のデュアルレンズカメラモジュールの全体剛性を試験することによって、当業者が理解するように、同じ歪みをもたらすためには従来のデュアルレンズカメラモジュールと比べて本発明のデュアルレンズカメラモジュールに著しく大きい外力を加える必要がある。たとえば図６を参照すると、従来のデュアルレンズカメラモジュールおよび本発明のデュアルレンズカメラモジュールの光軸の角度をそれぞれ０．５°変化させる。試験中、スタンドに支持されるレンズアセンブリの光軸の角度を変えるために図６の右のスタンドに外力が加えられる。その結果、歪みの程度は、独立スタンドの右側に近い位置ほど徐々に大きくなり、独立スタンドの左側に近い位置ほど少なくなる。試験結果は、光軸の角度を０．５°変えるために従来のデュアルレンズカメラモジュールに加えなければならない外力は１．１７Ｎであり、光軸の角度を０．５°変えるために本発明のデュアルレンズカメラモジュールに加えなければならない外力は１１．８Ｎであることを示す。したがって、結果は、本発明のデュアルレンズカメラモジュールの全体剛性が、従来のデュアルレンズカメラモジュールの全体剛性よりも遥かに大きいことを明らかにし、これは、本発明のデュアルレンズカメラモジュールがより安定していることを意味する。
【００７５】
当業者が理解すべきであるように、本発明の上記説明においてデュアルレンズカメラモジュールとして具体化されたマルチレンズカメラモジュールは、本発明の内容および範囲を説明および例示するための例にすぎない。実際は、マルチレンズカメラモジュールがたとえば３レンズカメラモジュール、４レンズカメラモジュールなどとして具体化され得るデュアルレンズカメラモジュールを超えたマルチレンズカメラモジュールを実装するために、マルチレンズカメラモジュール結合スタンド１０は３つ以上のスタンド本体１２を設けてもよい。これは、従来技術のデュアルレンズカメラモジュールの予想を超えたものであり、従来のデュアルレンズカメラモジュールは、本発明のマルチレンズカメラモジュールにおけるあらゆる技術的着想を提供することは出来ない。したがって、本発明のマルチレンズカメラモジュールは、明確な非自明性を有するものである。
【００７６】
図７〜図９に示すような別のモードの好適な実施形態によると、マルチレンズカメラモジュールは、１つの一体型マルチレンズカメラモジュール結合スタンド１０、６つのレンズアセンブリ２０、および６つの感光性アセンブリ３０を備えてよく、この場合、マルチレンズカメラモジュール結合スタンド１０は６つのスタンド本体１２を設け、マルチレンズカメラモジュールを形成するために、スタンド本体１２の各１つがレンズアセンブリ２０の１つおよび感光性アセンブリ３０の１つを支持するために用いられる。言及すべき点として、対応して位置を合わせられたレンズアセンブリ２０および感光性アセンブリ３０はアレイ方式に配列され、マルチレンズカメラモジュールはアレイカメラモジュールを形成する。
【００７７】
言及すべき点として、図１０を参照すると、本発明は、マルチレンズカメラモジュールのレンズアセンブリ２０および感光性アセンブリ３０のずれを防止するための方法も提供し、方法は以下のステップを備える。
【００７８】
（ａ）マルチレンズカメラモジュール結合スタンド１０を一体形成すること、および
【００７９】
（ｂ）マルチレンズカメラモジュール結合スタンド１０の上面にレンズアセンブリ２０を連結し、下面に感光性アセンブリ３０を連結することであって、レンズアセンブリ２０は、それぞれ感光性アセンブリ３０の光受容経路に沿った位置にあること。
【００８０】
当業者は、説明および図面において上記で言及された本発明の実施形態が典型例にすぎず、限定的であることは意図されないことを理解すべきである。
【００８１】
このように、本発明の目的は、完全かつ効果的に実装される。本発明の機能および構造の観念は実施形態において示され説明されたが、本発明は、実施形態における観念の原理の変化に限定されるものではない。したがって本発明は、特許請求対象である範囲および主旨に当てはまる全ての修正または変更を含むものである。
【図１】
2022002396.tif 000003
【図２】
2022002396.tif 000004
【図３】
2022002396.tif 000005
【図４】
2022002396.tif 000006
【図５Ａ】
2022002396.tif 000007
【図５Ｂ】
2022002396.tif 000008
【図６】
2022002396.tif 000009
【図７】
2022002396.tif 000010
【図８】
2022002396.tif 000011
【図９】
2022002396.tif 000012
【図１０】
2022002396.tif 000013